(57)【要約】【課題】通常は着信時の発信者情報しか通知できない情報表示電話機を利用するユーザーに様々な情報通知を行う。【解決手段】ＶｏＩＰＧＷ装置２がＩＰネットワーク４上の情報サーバー３から、各種情報を取得し、モデム信号用データに変換しておく。任意のタイミングでユーザーの使用する情報表示電話機４に対して擬似的に発信者情報表示機能での着信動作を実施、電話機の表示部に各種情報を表示する。情報表示の為の着信動作を実行後、そのまま着信動作を継続すると電話機自体の着信音が鳴動してしまう為、着信動作を途中放棄する。【選択図】図１
2008098942.tif 000002
【特許請求の範囲】
【請求項１】
ネームディスプレイもしくはナンバーディスプレイ対応アナログ電話機（情報表示電話機）に情報を表示させる情報表示電話機制御システムにおいて、
ＩＰ対応構内交換機もしくは同等の機能を有するＶｏｉｃｅサーバー装置（テレフォニーサーバー）と、
前記テレフォニーサーバーからの制御指示パケットにより動作し、音声通話の際は、通話先の電話機と音声パケットを直接送受信するＶｏｉｃｅＯｖｅｒＩｎｔｅｒｎｅｔＰｒｏｔｏｃｏｌ対応Ｇａｔｅｗａｙ装置（ＶｏＩＰＧＷ装置）と、
ユーザーの業務スケジュール情報やニュース等を収集して保持している情報サーバーがＩＰネットワークに接続されており、
前記ＶｏＩＰＧＷ装置は、前記情報サーバーからユーザーの業務スケジュール情報やニュース等の各種情報を取得して、取得した情報をモデム信号用データに変換し、前記情報表示電話機がモデム信号を受信できる状態のときに情報表示電話機へ送出して表示させることを特徴とする情報表示電話機制御システム。
【請求項２】
前記ＶｏＩＰＧＷ装置は、
前記情報サーバーに対して情報取得要求パケットを送信し、応答パケットを受信した場合は情報要求応答イベントを送信する表示情報処理部と、
前記情報要求応答イベントを前記表示情報処理部より受信すると、情報要求応答イベントから表示用のデータ部分をモデム信号用データへ変換してモデムデータバッファに書き込んで情報表示開始イベントを送信する表示情報変換部と、
前記情報表示開始イベントを受信すると、前記情報表示電話機のループ状態がオンになっていないか、または着信処理中ではないかを確認し、前記情報表示電話機が空き状態であれば、前記モデムデータバッファの内容をモデム制御部からモデム信号として送出し、発信者情報表示の為の着信動作を途中放棄する電話機制御部を有することを特徴とする請求項１記載の情報表示電話機制御システム。
【請求項３】
請求項１または請求項２記載の情報表示電話機制御システムにおける情報表示電話機制御方法であって、
前記ＶｏＩＰＧＷ装置が前記テレフォニーサーバーからの制御指示パケットにより動作し、音声通話の際は、通話先の電話機と音声パケットを直接送受信している段階と、
前記情報サーバーがユーザーの業務スケジュール情報やニュース等を収集して保持している段階と、
前記表示情報処理部が前記情報サーバーに対して情報取得要求パケットを送信する段階と、
前記表示情報処理部が前記情報要求に対する情報要求応答パケットを受信した場合に前記表示情報変換部へ送信する段階と、
前記表示情報変換部が前記情報要求応答イベントから表示用のデータ部分を情報データバッファコピーした後、情報データバッファの内容をモデム信号用データへ変換しモデムデータバッファへ書き込む段階と、
前記変換が成功した場合は前記電話機制御部へ情報表示開始イベントを送信する段階と、
前記電話機制御部が前記情報表示開始イベントを受信後、前記情報表示電話機のループ状態がオンになっていないか、または着信処理中ではないかを確認の上で情報受信端末起動信号を送信する段階と、
一定時間内に前記情報表示電話機からの一次応答信号を検出できなかった場合は処理を終了し、一次応答信号を検出した場合は情報表示電話機に前記モデムデータバッファの内容をモデム制御部からモデム信号として送出する段階と、
前記モデム信号の送出が完了後、前記情報表示電話機側からの受信完了信号を検出、もしくは一定時間経過した場合、発信者情報表示の為の着信動作を途中放棄する段階を有することを特徴とする情報表示電話機制御方法。
【請求項４】
請求項３記載の情報表示電話機制御方法を前記ＶｏＩＰＧＷ装置で実行するためのプログラムを記録した記録媒体であって、該プログラムは、
前記表示情報処理部が前記情報サーバーに対して情報取得要求パケットを送信するステップと、
前記表示情報処理部が前記情報要求に対する情報要求応答パケットを受信した場合に前記表示情報変換部へ送信するステップと、
前記表示情報変換部が前記情報要求応答イベントから表示用のデータ部分を情報データバッファコピーした後、情報データバッファの内容をモデム信号用データへ変換しモデムデータバッファへ書き込むステップと、
前記変換が成功した場合は前記電話機制御部へ情報表示開始イベントを送信するステップと、
前記電話機制御部が前記情報表示開始イベントを受信後、前記情報表示電話機のループ状態がオンになっていないか、または着信処理中ではないかを確認の上で情報受信端末起動信号を送信するステップと、
一定時間内に前記情報表示電話機からの一次応答信号を検出できなかった場合は処理を終了し、一次応答信号を検出した場合は情報表示電話機に前記モデムデータバッファの内容をモデム制御部からモデム信号として送出するステップと、
前記モデム信号の送出が完了後、前記情報表示電話機側からの受信完了信号を検出、もしくは一定時間経過した場合、発信者情報表示の為の着信動作を途中放棄するステップを有することを特徴とする記録媒体。
【発明の詳細な説明】
【技術分野】
【０００１】
本発明は、情報表示電話機制御システム、特に、ネームディスプレイもしくはナンバーディスプレイ対応アナログ電話機（以降、特にネームディスプレイもしくはナンバーディスプレイと明示している場合を除き、これらを総称して「情報表示電話機」と記載する。）に情報を表示させる情報表示電話機制御システムに関する。
【背景技術】
【０００２】
この種の従来技術として、メールサーバーがメールを受信時に、メール受信者のアナログ電話機へ発信者番号通知で発信し、メール受信者はアナログ電話機の着信を見て自分宛てのメールの存在を認識する技術が知られている（例えば、特許文献１参照）。このメール着信通知システムは、単純なナンバーディスプレイ機能を利用した通知である為、アナログ電話機内部のメモリ上にメールサーバーが発信した発信者番号情報に対応させて『メール着信』等の文字列を任意に登録させることで、メールサーバーからの発番号通知発信に対応したアナログ電話着信時にメールが着信しているといった情報の視認性向上を図っている。
【０００３】
また、ＩＳＤＮターミナルアダプタの設定をアナログ電話機から行い、設定が完了後、ナンバーディスプレイ機能を利用して設定結果情報をアナログ電話機に表示することでターミナルアダプタの設定情報の通知を行う技術も知られている（例えば、特許文献２参照）。
【０００４】
【特許文献１】特開２００２−２９０４６６号公報（第４頁、図１）
【特許文献２】特開２０００−１６５４８２号公報（第３頁、図２）
【発明の開示】
【発明が解決しようとする課題】
【０００５】
しかしながら、上述した特許文献１記載の技術では、アナログ電話機への情報通知方法にナンバーディスプレイを利用している為、発信者の電話番号情報しか通知されない。従って、アナログ電話機側では特定の電話番号から着信があった場合に電話機内部のメモリに登録されている電話帳等のデータと比較して一致した場合に該当情報を表示する機能が必要となってしまうので、実現可否は利用できる電話機自体の拡張機能に依存してしまう。また、『メール着信』等の情報を表示する為に電話機への個別メモリ登録設定が必要となりユーザーの事前準備が必要となり煩雑である。さらに、複数種類の情報を表示させる為には、表示させる情報の種類と同じ数の発信用電話番号を契約しなければならない為、システム全体として非経済的である。
【０００６】
また、特許文献２記載の技術では、表示可能な情報がターミナルアダプタ装置設定の確認メッセージ等の固定情報しか表示することができず、ユーザーへの通知情報内容および用途が限定的であり、ネームディスプレイにも対応していない為、表現可能な情報が限られてしまう。
【０００７】
本発明の目的は、ユーザーへ広範な各種情報を通知することによってユーザーの利便性向上を図るとともに、既に情報表示電話機が運用されているユーザーの周辺環境に対して物理的な変更を行わず、既設の物理的なリソースの有効活用を図りながら新たな情報通知サービスを実現可能とする為の情報表示電話機制御システムを提供することにある。
【課題を解決するための手段】
【０００８】
本発明の情報表示電話機制御システムは、ネームディスプレイもしくはナンバーディスプレイ対応アナログ電話機（情報表示電話機）に情報を表示させる情報表示電話機制御システムにおいて、ＩＰ対応構内交換機もしくは同等の機能を有するＶｏｉｃｅサーバー装置（テレフォニーサーバー）と、テレフォニーサーバーからの制御指示パケットにより動作し、音声通話の際は、通話先の電話機と音声パケットを直接送受信するＶｏｉｃｅＯｖｅｒＩｎｔｅｒｎｅｔＰｒｏｔｏｃｏｌ対応Ｇａｔｅｗａｙ装置（ＶｏＩＰＧＷ装置）と、ユーザーの業務スケジュール情報やニュース等を収集して保持している情報サーバーがＩＰネットワークに接続されており、ＶｏＩＰＧＷ装置は、情報サーバーからユーザーの業務スケジュール情報やニュース等の各種情報を取得して、取得した情報をモデム信号用データに変換し、情報表示電話機がモデム信号を受信できる状態のときに情報表示電話機へ送出して表示させることを特徴とする。
【０００９】
より具体的には、ＶｏＩＰＧＷ装置は、情報サーバーに対して情報取得要求パケットを送信し、応答パケットを受信した場合は情報要求応答イベントを送信する表示情報処理部と、情報要求応答イベントを表示情報処理部より受信すると、情報要求応答イベントから表示用のデータ部分をモデム信号用データへ変換してモデムデータバッファに書き込んで情報表示開始イベントを送信する表示情報変換部と、情報表示開始イベントを受信すると、情報表示電話機のループ状態がオンになっていないか、または着信処理中ではないかを確認し、情報表示電話機が空き状態であれば、モデムデータバッファの内容をモデム制御部からモデム信号として送出し、発信者情報表示の為の着信動作を途中放棄する電話機制御部を有する。
【００１０】
ＶｏＩＰＧＷ装置はテレフォニーサーバーからの制御指示パケットにより動作し、音声通話の際は、通話先の電話機と音声パケットを直接送受信している。また、情報サーバーがユーザーの業務スケジュール情報やニュース等を収集して保持している。
【００１１】
表示情報処理部が情報サーバーに対して情報取得要求パケットを送信し、表示情報処理部が情報要求に対する情報要求応答パケットを受信すると表示情報変換部へ送信する。表示情報変換部は情報要求応答イベントから表示用のデータ部分を情報データバッファコピーした後、情報データバッファの内容をモデム信号用データへ変換しモデムデータバッファへ書き込む。この変換が成功した場合は電話機制御部へ情報表示開始イベントを送信する。
【００１２】
電話機制御部は情報表示開始イベントを受信後、情報表示電話機のループ状態がオンになっていないか、または着信処理中ではないかを確認の上で情報受信端末起動信号を送信する。そして、一定時間内に情報表示電話機からの一次応答信号を検出できなかった場合は処理を終了し、一次応答信号を検出した場合は情報表示電話機にモデムデータバッファの内容をモデム制御部からモデム信号として送出する。モデム信号の送出が完了後、情報表示電話機側からの受信完了信号を検出、もしくは一定時間経過した場合、発信者情報表示の為の着信動作を途中放棄する。
【発明の効果】
【００１３】
本発明の第１の効果は、広範な各種情報を情報表示電話機に表示させ、ユーザーへの新たな情報通知サービスを実現することが可能になるということである。その理由は、ＩＰネットワーク上に存在する情報サーバーから各種情報を取得する為である。
【００１４】
第２の効果は、上記の新たな情報通知サービスを提供しつつも、通常の電話操作には支障がなく使用可能であるということである。その理由は、情報表示処理を実行する際に、該当電話機が発信中か通話中、もしくは着信中かどうか確認後、つまり空き状態である場合にのみ情報表示処理を行っている為である。
【００１５】
第３の効果は、情報表示内容が何であるかを限定せず、ユーザーへの様々な情報通知を実現することが可能になるということである。その理由は、情報サーバーから取得した情報がどんなフォーマットであっても、装置内部でモデム信号のフォーマットに変換を行っている為である。
【００１６】
第４の効果は、情報表示の内容に関してユーザーが電話機への設定を一切行わずに、各種情報通知を実現することが可能になるということである。その理由は、発信者番号と電話機内部のメモリ上のデータを括りつけて設定するといった、電話機の機能に依存した形での情報表示方法をとらず、表示情報のデータ自体をＶｏＩＰＧＷ装置側で作成して表示させている為である。
【００１７】
第５の効果は、既に発信者情報表示機能対応アナログ電話機を運用しているユーザー環境において、物理的な構成変更等をせずに各種情報通知を実現し、物理的リソースの有効活用を図ることが可能になるということである。その理由は、発信者情報表示機能対応アナログ電話機に対しての表示情報をＶｏＩＰＧＷ装置で自動的に収集、変換し、電話機に対してはＶｏＩＰＧＷ装置が擬似的に着信動作を実施しているだけである為、ＶｏＩＰＧＷ装置に本技術を適用するだけで、既設の発信者情報表示機能対応アナログ電話機等にはなんら変更を加える必要がない為である。
【発明を実施するための最良の形態】
【００１８】
本発明は、ＶｏＩＰＧＷ装置に収容している電話機のループ状態検出および電話機のリンガー制御等を行う為の電話機制御回路、発信者情報表示用データを電話機へ送信する為のモデム制御回路、ＩＰネットワークを介して各種パケットを送受信する為のＬＡＮＩ／Ｆ回路等を実装すると共に、それらの回路を制御する為の手段を備える。この手段は、情報サーバーからユーザーの業務スケジュール情報やニュース等の各種情報を取得して、取得した情報をモデム信号用データに変換し、情報表示電話機がモデム信号を受信できる状態のときに情報表示電話機へ送出して表示させる。
【００１９】
本発明では、ＶｏＩＰＧＷ装置はＩＰネットワーク上の情報サーバーから、該当ユーザーのスケジュール情報やニュース等の情報を取得する。その後、取得した情報をモデム信号へ変換を行う。任意のタイミングでユーザーの使用する発信者情報表示機能対応アナログ電話機に対して擬似的に発信者情報表示機能着信動作を実行し、電話機の表示部に各種情報を表示する。発信者情報表示の為の着信動作を実行後、そのまま着信動作を継続すると電話機自体の着信音が鳴動してしまう為、着信動作を途中放棄する。
【００２０】
これらの一連の制御により、ＩＰネットワーク上の情報サーバーから各種情報を取得し、発信者情報表示機能対応アナログ電話機を利用するユーザーに様々な情報通知を行うことが可能となる。以下、本発明の実施の形態について図面を参照して詳細に説明する。
【００２１】
［構成の説明］
図１は、本発明の一実施例である、情報表示電話機制御システムの構成を示す図である。このシステムは、ルーター５およびＩＰネットワーク６を介して、テレフォニーサーバー１と、ＶｏＩＰＧＷ装置２と、情報サーバー３が分散設置される構成となっている。ＶｏＩＰＧＷ装置２には少なくとも１つの情報表示電話機４が接続されている。テレフォニーサーバー１，ＶｏＩＰＧＷ装置２，情報サーバー３とルーター５との間はそれぞれＬＡＮ７を介して接続されている。
【００２２】
テレフォニーサーバーとは、インターネットプロトコル（ＩＰ）対応構内交換機もしくは同等の機能を有するＶｏｉｃｅサーバー装置をいい、また、ＶｏＩＰＧＷ装置とは、テレフォニーサーバーからの制御指示パケットにより動作し、音声通話の際は、通話先の電話機と音声パケットを直接送受信するＶｏｉｃｅＯｖｅｒＩｎｔｅｒｎｅｔＰｒｏｔｏｃｏｌ対応Ｇａｔｅｗａｙ装置をいう。
【００２３】
情報表示電話機４は、通常の通話機能の他に、発信者のネームもしくはナンバー、更にユーザーの業務スケジュールやニュース等の各種情報をディスプレイ表示する機能を有するアナログ電話機である。
【００２４】
ＶｏＩＰＧＷ装置２は、情報表示電話機４のオンフック、オフフック、デジット（ダイヤル番号）情報等を検出し、その情報を呼制御パケットとしてテレフォニーサーバー１へ送出する。ＶｏＩＰＧＷ装置２は、この呼制御パケットに対する応答としてテレフォニーサーバー１から制御パケットを受信すると、制御パケットの内容に従い様々な動作を行ない、最終的にＶｏＩＰＧＷ装置２の間で直接音声パケットを送受信することで音声通信が可能となる。
【００２５】
更に、ＶｏＩＰＧＷ装置２は、定期的に情報サーバー３からユーザーの業務スケジュール情報やニュース等の各種情報を取得する。そして、取得した情報をモデム信号用データに変換し、情報表示電話機４の側がモデム信号を受信できる状態のときに情報表示電話機４へ送出して表示させる。
【００２６】
テレフォニーサーバー１は、ＶｏＩＰＧＷ装置２からの呼制御パケットを受信すると、ＶｏＩＰＧＷ装置２に対して、各状態に応じて適切な処理を指示する。すなわち、電話端末制御（リンガやリレー制御）を行なう為の呼制御パケット、およびＴＯＮＥ再生や音声接続を行なう為の接続制御パケットを送信する。
【００２７】
情報サーバー３は、ＩＰネットワーク上にあって、ユーザーの業務スケジュール情報やニュース等を収集して保持しており、テレフォニーサーバー１と物理的には一体化され、論理的に分離されている形態をとっていてもよい。情報サーバー３は、ＶｏＩＰＧＷ装置２からの情報取得要求を受信すると、保持している上記の各種情報をＶｏＩＰＧＷ装置２へ発信する。
【００２８】
図２は、ＶｏＩＰＧＷ装置２の内部機能構成を示すブロック図である。ＶｏＩＰＧＷ装置２は、ＬＡＮ７に対して各種パケットの送受信を行なうＬＡＮＩ／Ｆ回路２−１，ＶｏＩＰＧＷ装置２に収容する情報表示電話機４を制御しループ状態の検出やリンガー制御等を行う為の電話機制御回路２−２および発信者情報表示データ送信用のモデム制御回路２−３をハードウェアモジュールとして実装する。
【００２９】
また、ＩＰパケット送受信を行なうＩＰパケット送受信部２−４，テレフォニーサーバー１と連携し呼制御を実行する呼制御信号処理部２−５，電話機制御や電話機の状態監視を行う電話機制御部２−６，情報サーバー３から表示用情報を取得する表示情報処理部２−７，情報サーバー３から取得した表示用情報をモデム信号へ変換する表示情報変換部２−８および発信者情報表示機能着信動作時にモデム信号を送信するモデム制御部２−９をファームウェアモジュールで構成している。
【００３０】
図３は、ＶｏＩＰＧＷ装置２内部で情報表示の為に使用する情報通知処理関連データメモリの構成を示す図であり、情報ウエイトタイマーカウンタ１００，情報データバッファ１０１およびモデムデータバッファ１０２から構成されている。情報ウエイトタイマーカウンタ１００は、表示情報処理部２−７が情報サーバー３に対して送信した情報取得要求パケットに対する情報サーバー３からの応答パケットが未受信の場合に表示情報処理部２−７によってインクリメントされる。
【００３１】
情報データバッファ１０１は、表示情報変換部２−８が表示情報処理部２−７より情報要求応答イベントを受信すると、表示情報変換部２−８によって表示用のデータ部分がコピーされる。モデムデータバッファ１０２は、情報データバッファ１０１の内容が表示情報変換部２−８によってモデム信号用データへ変換され書き込まれ、電話機制御部２−６によって読み出される。
【００３２】
［動作の説明］
以上のように構成された本情報表示電話機制御システムの動作について説明する。尚、ＶｏＩＰＧＷ装置２における各処理は、ＶｏＩＰＧＷ装置２の各制御部からプログラムを読み出して実行することにより実現される。また、ファームウェアプログラムはフロッピィディスクやＲＯＭ（Ｒｅａｄ  Ｏｎｌｙ  Ｍｅｍｏｒｙ）等の記録媒体に記録されているものとする。
【００３３】
先ず、通常着信時の動作について説明する。ＶｏＩＰＧＷ装置２は、情報表示電話機４のオンフック，オフフック，デジット（ダイヤル番号）情報等を検出し、その情報を呼制御パケットとしてテレフォニーサーバー１へ送出する。呼制御パケットを受信したテレフォニーサーバー１は、ＶｏＩＰＧＷ装置２に対して、各状態に応じた適切な処理を指示する。すなわち、電話端末制御（リンガやリレー制御）を行なう為の呼制御パケット、およびＴＯＮＥ再生や音声接続を行なう為の接続制御パケットを送信する。ＶｏＩＰＧＷ装置２は、これらの制御パケットを受信すると、制御パケットの内容に従い様々な動作を行ない、最終的に他のＶｏＩＰＧＷ装置２との間で直接に音声パケットを送受信することで音声通信が可能となる。
【００３４】
図４は、テレフォニーサーバー１がＶｏＩＰＧＷ装置２に対して、ネームディスプレイ着信指示を出した場合の動作シーケンスを示す図である。ＶｏＩＰＧＷ装置２は、ネームディスプレイ着信指示を受信すると、発信者情報表示着信動作を行なう。すなわち、先ず情報表示電話機４に対してＬ１，Ｌ２極性を反転し情報受信端末起動信号を送信する。情報表示電話機４から一次応答信号を受信すると、モデム信号を送信する。
【００３５】
情報表示電話機４では、発信者番号および発信者登録名の情報表示をし、受信完了信号をＶｏＩＰＧＷ装置２へ送信する。ＶｏＩＰＧＷ装置２は呼び出し信号を情報表示電話機４へ送信し、情報表示電話機４で呼び出し音が鳴動し電話応答する。これによる二次応答信号を受信すると、ＶｏＩＰＧＷ装置２はＬ１，Ｌ２極性を復極し、情報表示電話機４の間の通話を取り次ぐようになる。
【００３６】
さて、図５は、ＶｏＩＰＧＷ装置２が定期的に情報サーバー３から各種情報を取得し、取得した情報を情報表示電話機４に表示を行う情報表示動作における各装置間動作シーケンスの一例を示す図である。テレフォニーサーバー１およびＶｏＩＰＧＷ装置２が、図４に示したような通常に動作ができる状態となった後、この通常動作を基本動作としたうえで、任意のタイミングで表示情報取得処理を開始する。
【００３７】
図５において、先ず、ＶｏＩＰＧＷ装置２と情報サーバー３との間で情報取得要求とその応答が行なわれる。この表示情報取得処理の詳細を図６にフローチャートで示す。すなわち、ＶｏＩＰＧＷ装置２の表示情報処理部２−７は、ＩＰパケット送受信部２−４を介して情報サーバー３に対して情報取得要求パケットを送信する（図６のステップＳ１）。その後、表示情報処理部２−７では、ＩＰネットワーク６を経由して情報サーバー３へ情報取得要求が到達し、情報サーバー３からの応答パケットの返送を受信したか確認を行う（ステップＳ２）。
【００３８】
情報要求に対する応答パケットを未受信の場合は、情報ウエイトタイマーカウンタ１００をインクリメントして一定時間ウエイトする（ステップＳ３）、一定時間ウエイト後、情報ウエイトタイマーカウンタ１００が任意の規定値を超えていない場合は、再度、情報サーバー３からの応答パケット受信確認を実施する（ステップＳ２）。
【００３９】
情報ウエイトタイマーカウンタ１００が任意の規定値を超えた場合は、再度、情報サーバー３に対して情報取得要求パケットを送信する（ステップＳ１）。情報サーバー３から情報要求に対する応答パケットを受信した場合は、表示情報変換部２−８へ受信した情報要求応答イベントを送信し（ステップＳ４）、再び情報サーバー３に対して新たな表示情報があるか確認する為に情報取得要求パケットを送信する（ステップＳ１）。
【００４０】
次いで、ＶｏＩＰＧＷ装置２は、図５に示すように受信情報データ変換を行なう。図７はこの表示情報変換処理のフローチャートを示す。ＶｏＩＰＧＷ装置２の表示情報変換部２−８は表示情報処理部２−７より情報要求応答イベントを受信することによって表示情報変換処理を開始する。表示情報変換部２−８では、受信した情報要求応答イベントから表示用のデータ部分を情報データバッファ１０１へコピーする（図７のステップＴ１）。その後、情報データバッファ１０１の内容をモデム信号用データへ変換しモデムデータバッファ１０２へ書き込む（ステップＴ２）。モデム信号用データ変換が失敗した場合はそのまま終了し、変換が成功した場合は電話機制御部２−６へ情報表示開始イベントを送信する（ステップＴ３）。
【００４１】
続いて、図５に示すように、ＶｏＩＰＧＷ装置２による制御によって情報表示電話機４に受信情報を表示させる。図８はＶｏＩＰＧＷ装置２の電話機制御部２−６およびモデム制御部２−９における情報表示処理のフローチャートである。電話機制御部２−６は、表示情報変換部２−８より情報表示開始イベントを受信することによって、情報表示処理を開始する。
【００４２】
電話機制御部２−６では、受信した情報表示開始イベントを受信後、情報表示電話機４のループ状態がオンになっていないか、または着信処理中ではないかを確認する。これは、情報表示電話機４が既に発信、着信、通話中の状態であればそれらの動作に支障をきたしてしまうことになり、情報表示を行うべき状態ではない為であり、その場合はそのまま終了する。これらの状態でない場合、つまり情報表示電話機４が空き状態であれば、情報表示電話機４に対する着信処理を開始する為にＬ１，Ｌ２極性反転を行う（図８のステップＵ１）。
【００４３】
次に、情報受信端末起動信号の送信を行う（ステップＵ２）。その後、一定時間内に情報表示電話機４からの一次応答信号を検出出来なかった場合は情報表示電話機４側がモデム信号を受信できる状態ではない為処理を終了し、一次応答信号を検出した場合は情報表示電話機４に対するモデム信号送信が可能である為、モデムデータバッファ１０２の内容をモデム制御部２−９からモデム信号として送出する（ステップＵ３）。
【００４４】
モデム信号の送出が完了後、情報表示電話機４側からの受信完了信号を検出、もしくは一定時間経過した場合、正常に処理を終了する（ステップＵ４）。電話機制御部２−６は、発信者情報表示の為の着信動作を実行後に着信動作を途中放棄する。これは、そのまま着信動作を継続すると電話機自体の着信音が鳴動してしまう為、これを阻止する為である。
【００４５】
以上のような制御を行うことで、情報表示電話機４を使用するユーザーに、ＩＰネットワーク上の情報サーバー３から取得した情報の通知を行うことが可能となる。
【図面の簡単な説明】
【００４６】
【図１】本発明の情報表示電話機制御システムの一実施例を示すブロック図である。
【図２】図１に示したＶｏＩＰＧＷ装置２の機能構成を示すブロック図である。
【図３】情報通知処理関連データメモリの構成を示す図である。
【図４】通常着信時における各装置間の動作シーケンス図である。
【図５】情報表示動作における各装置間の動作シーケンス図である。
【図６】表示情報取得処理を示すフローチャートである。
【図７】表示情報変換処理を示すフローチャートである。
【図８】情報表示処理を示すフローチャートである。
【符号の説明】
【００４７】
１      テレフォニーサーバー
２      ＶｏＩＰＧＷ装置
３      情報サーバー
４      情報表示電話機
５      ルーター
６      ＩＰネットワーク
７      ＬＡＮ
２−１  ＬＡＮＩ／Ｆ回路
２−２  電話機制御回路
２−３  モデム制御回路
２−４  ＩＰパケット送受信部
２−５  呼制御信号処理部
２−６  電話機制御部
２−７  表示情報処理部
２−８  表示情報変換部
２−９  モデム制御部
１００  情報ウエイトタイマーカウンタ
１０１  情報データバッファ
１０２  モデムデータバッファ
【図１】
2008098942.tif 000003
【図２】
2008098942.tif 000004
【図３】
2008098942.tif 000005
【図４】
2008098942.tif 000006
【図５】
2008098942.tif 000007
【図６】
2008098942.tif 000008
【図７】
2008098942.tif 000009
【図８】
2008098942.tif 000010